(57)【特許請求の範囲】
【請求項１】
下端部の前端面に開放する第１の切欠部が前後方向に沿って形成され後端部の内面には上下方向に沿う挿入溝が形成された一対の側板と、
幅方向両端部の下面が一対の側板の上端面に、上記下面と上端面とのどちらか一方に設けられた連結ピンを他方に設けられた連結具に嵌合させて連結される天板と、
幅方向両側に第２の切欠部が形成されこの第２の切欠部を上記第１の切欠部に係合させて一対の側板の下端部に取着される底板と、
上記側板の上記第１の切欠部の下側の部分とほぼ同じ高さ寸法に形成されていて、幅方向両端面にガイドピンが設けられこのガイドピンを上記一対の側板の上記第１の切欠部よりも下端部の内面に開口して設けられたガイド孔に挿入して取付けられた前板と、
一対の側板の挿入溝に幅方向両端部を係合させて保持される後板と、
この後板の下端部に形成された通孔から上記底板の後端面に螺合され上記後板と上記底板とを連結固定するねじと
上記側板の上端部の内面に前後方向に沿って設けられたガイドレールと、
このガイドレールに沿ってスライド可能に設けられた引出しと
を具備したことを特徴とする組立て式家具。
【発明の詳細な説明】
【０００１】
【発明の属する技術分野】
この発明は組立て作業を容易に行なうことができる箱形状の組立て式家具に関する。
【０００２】
【従来の技術】
たとえば、ベッド用のナイトテーブルや小物入れなどに用いられる家具は箱形状に構成される。箱形状の家具は組立て状態での形状が大きくなるため、工場での保管や出荷時に運搬に不便であるということがある。
【０００３】
そこで、そのような家具を組立て式とし、分解状態で保管及び出荷し、購入者に組立ててもらうことで、保管や運搬の容易化を図るようにしている。
【０００４】
【発明が解決しようとする課題】
従来、箱形状の組立て式家具は、側板、天板、底板及び後板を有し、これらの各部材をねじで結合しながら箱形状に組立てる構造が一般的であった。しかしながら、各部材をねじで結合して組立てる場合、ねじの数が多くなるから、組立て作業に手間が掛かるということがあったり、組立てられた家具の上面、前面あるいは側面にねじが露出するため、外観の低下を招くなどのことがあった。
【０００５】
この発明は、容易に組立てることができるとともに、組立てた状態でねじが前面や側面などに露出しないようにした組立て式家具を提供することにある。
【０００６】
【課題を解決するための手段】
請求項１の発明は、下端部の前端面に開放する第１の切欠部が前後方向に沿って形成され後端部の内面には上下方向に沿う挿入溝が形成された一対の側板と、
幅方向両端部の下面が一対の側板の上端面に、上記下面と上端面とのどちらか一方に設けられた連結ピンを他方に設けられた連結具に嵌合させて連結される天板と、
幅方向両側に第２の切欠部が形成されこの第２の切欠部を上記第１の切欠部に係合させて一対の側板の下端部に取着される底板と、
上記側板の上記第１の切欠部の下側の部分とほぼ同じ高さ寸法に形成されていて、幅方向両端面にガイドピンが設けられこのガイドピンを上記一対の側板の上記第１の切欠部よりも下端部の内面に開口して設けられたガイド孔に挿入して取付けられた前板と、
一対の側板の挿入溝に幅方向両端部を係合させて保持される後板と、
この後板の下端部に形成された通孔から上記底板の後端面に螺合され上記後板と上記底板とを連結固定するねじと、
上記側板の上端部の内面に前後方向に沿って設けられたガイドレールと、
このガイドレールに沿ってスライド可能に設けられた引出しと
を具備したことを特徴とする組立て式家具にある。
【０００９】
請求項１の発明によれば、側板と底板とを、これらに形成された切欠部を互いに係合させて組立てるとともに、天板は連結ピンと連結具との嵌合によって幅方向の両端部の下面を側板の上端面に連結するため、ねじを締め付けて固定する場合に比べて作業性がよく、しかも外観の低下を招くのを防止することができる。
【００１０】
また、一対の側板間の空間部に引出しを設けることで、この空間部を有効に利用することができる。
【００１１】
【発明の実施の形態】
以下この発明の実施の形態を図面を参照しながら説明する。
【００１２】
図１乃至図８はこの発明の一実施の形態を示す。図１と図２に示すこの発明の組立て式家具１は一対の側板２、天板３、底板４、前板５、後板６及び引出し７から構成されている。
【００１３】
上記側板２の下端部には、前端面に開放した第１の切欠部１１が前後方向に沿って形成されている。側板２の上端面には、前端部に連結ピン１２が突設され、中途部及び後端部にそれぞれガイドピン１３が突設されている。さらに、側板２の内面の後端側には上下方向全長にわたって側部挿入溝１４が形成されている。また、上端部には前後方向に沿ってガイドレール１５が設けられ、下端部には内面に開口したガイド孔２０が形成されている。
【００１４】
上記天板３の下面の幅方向両端部には、前端側に連結具１６が下面に露出して埋設され、中途部及び後端部には上記ガイドピン１３が嵌入するガイド孔１７が下面だけに開口して形成されている。
【００１５】
上記連結具１６は、図８（ａ）、（ｂ）に示すように天板３の幅方向外側に上記連結ピン１２が嵌合される嵌合孔１８及びこの嵌合孔１８に嵌合された上記連結ピン１２を固定する回転部１９を有する。さらに、天板３の下面後端部には上部挿入溝２１が上記後板６の幅寸法とほぼ同じ長さ寸法で形成されている。
【００１６】
上記天板３は、所定の間隔で平行に離間対向した一対の側板２の上端面に、連結具１６の嵌合孔１８に連結ピン１２を嵌合させ、ガイド孔１７にガイドピン１３を挿入させて取付けられている。連結ピン１２を嵌合孔１８に嵌合させたのち、回転部１９をドライバーなどで回転させることで、上記連結ピン１２は嵌合孔１８から抜け出ない状態に固定される。
【００１７】
一対の側板２の上端面に天板３を取付けることで側板２に形成された側部挿入溝１４の上端に天板２に形成された上部挿入溝２１の両端が一致する。
【００１８】
つまり、この実施の形態では、上記連結ピン１２と連結具１６とで、側板２の上端面に天板３の幅方向両端部の下面を接合させた状態で連結固定する第１の連結手段となっている。なお、図示しないが、連結ピン１２を天板３の下面に設け、連結具１６を側板２の上端面に露出するよう設けるようにしてもよい。
【００１９】
上記前板５は、上記側板２の第１の切欠部１の下側の部分とほぼ同じ高さ寸法に形成されていて、その幅方向両端面にはそれぞれガイドピン５ａが突設されている。前板５は、一対のガイドピン５ａを側板２のガイド孔２０に挿入して取付けられる。
【００２０】
上記底板４は一対の側板２の間隔とほぼ同じ幅寸法の後端部４ａと、この後端部４ａよりも幅寸法の大きな前端部４ｂとからなり、前端部４ｂの幅方向両側には後端部４ａの幅寸法とほぼ同じ幅寸法で一対の第２の切欠部２２が形成されている。さらに底板４の後端部４ａには後端面に開放する取付け孔２３が前後方向に沿って形成されている。図５と図７（ａ）、（ｂ）に示すように、底板４には、その下面から上記取付け孔２３に突出するよう連結ナット２４が埋設されている。そして、上記底板４は、第２の切欠部２２を側板２の第１の切欠部１１に嵌合させて組み付けられる。
【００２１】
上記後板６は、上記側板２の下端側から幅方向両端部を側部挿入溝１４に挿入し、上端部を天板３の上部挿入溝２１に挿入して設けられている。この後板６の下端部には、上端部を上部挿入溝２１に挿入した状態で上記底板４の取付け孔２３に対応する通孔２５が形成されている。
【００２２】
上記通孔２５からは、上記取付け孔２３に設けられた連結ナット２４に第２の連結手段としてのねじ２６がねじ込まれる。それによって、後板６と底板４とが連結固定されるから、これらが側板２から脱落するのが阻止される。なお、第２の連結手段としてねじ２６に代わり、タッカなどであってもよい。
【００２３】
上記引出し７の両側外面には、上記側板２の内面に設けられたガイドレール１５にスライド可能に係合するガイド溝２７が形成されている。したがって、一対の側板２間の天板３の下面側の空間部には上記引出し７が出し入れ可能に設けられる。なお、側板２にガイド溝２７を形成する代わりに、図示しないが上記ガイドレール１５にスライド可能に係合する係合部材を設けるようにしてもよい。
【００２４】
上記構成の組立て式家具１は次の手順で組立てられる。まず、一対の側板２の上端面に天板３を取付けたならば、前端側の下部に前板５を取付ける。ついで、側板２の第１の切欠部１１に底板４の第２の切欠部２２を係合させて底板４を側板２に組み込んだのち、側板２の下端側から後板６を組み込む。そして、後板６の通孔２５から底板４の取付け孔２３の連結ナット２４にねじ２６をねじ込んだのち、一対の側板２間に引出し７を挿入することで、組立て式家具１が組立てられる。
【００２５】
このような構成の組立て式家具１によれば、側板２と天板３との組立ては、側板２の上端面に設けられた連結ピン１２とガイドピン１３とを天板３の連結具１６の嵌合孔１８とガイド孔１７とに嵌合させるだけでよく、前板５は両端面のガイドピン５ａを側板２のガイド孔２０に嵌合させるだけでよい。
【００２６】
さらに、底板４は、幅方向両側に形成された第２の切欠部２２を、側板２に形成された第１の切欠部１１に係合させるだけでよく、さらに後板６は側板２に形成された側部挿入溝１４と天板３に形成された上部挿入溝２１とに挿入すればよい。そして、後板６をねじ２６によって底板４に連結すれば、この後板６と底板４とを側板２に固定することができる。
【００２７】
つまり、上記構成の組立て式家具１を組立てるには、後板６と底板４との連結だけにねじ２６を用い、他の個所にはねじを用いずにすむため、組立て作業を容易に、しかも迅速に行なうことができる。とくに、側板２に対する底板４の組立ては、側板２に形成された第１の切欠部１１に、底板４に形成された第２の切欠部２２を係合させるだけでよいから、簡単である。
【００２８】
後板６と底板４との連結だけにねじ２６を用いているため、組立て式家具１の上面、前面及び側面にはねじが露出することがない。つまり、上記ねじ２６が背面側に露出するだけであるから、組立て式家具１の外観が損なわれるようなことがない。
【００２９】
一対の側板２間には空間部が形成されるが、その空間部の上部には引出し７を出し入れ可能に設けるようにしたから、内部空間の有効利用が図れる。内部空間の有効利用としては、引出し７だけでなく、底板４の上面を雑誌や小物類などの載置面としても利用することができる。
【００３０】
図９はこの発明の他の実施の形態を示す。この実施の形態は、一対の側板２間に、引出し７に代わり、棚板３１を設けるようにした。つまり、一対の側板２の内面の高さ方向中途部にはそれぞれ受け桟３２を前後方向に沿って設け、これら受け桟３２に上記棚板３１の幅方向両端部を係合させて架設するようにした。
【００３１】
このような構成であっても、一対の側板２間の空間部を有効に利用することができる。
【００３２】
【発明の効果】
この発明によれば、側板と底板とは、これらに形成された切欠部を互いに係合させることで組立てることができ、天板は両端部の下面を、側板の上端面に、これらのどちらか一方に設けられた連結ピンを他方に設けられた連結具に嵌合させることで、連結して組立てられる。そして、側板の挿入溝に端部を挿入して組立てられる後板だけがねじによって底板に連結して組立てられる。
【００３３】
そのため、ねじの使用が１個所だけですむから、たくさんのねじを用いる場合に比べて作業性よく組立てることができ、しかもねじが前面、上面あるいは側面に露出することがないから、外観的に良好である。
【００３４】
また、一対の側板間の空間部に引出しを設けるようにしたから、一対の側板間の空間部を有効に利用することができる。
【図面の簡単な説明】
【図１】この発明の一実施の形態に係る組立て式家具の分解斜視図。
【図２】組立て式家具を組立てた状態の斜視図。
【図３】組立て状態の正面図。
【図４】同じく側面図。
【図５】同じく縦断面図。
【図６】側板の内面の側面図。
【図７】（ａ）は底板の平面図、（ｂ）は図７（ａ）のＸ−Ｘ線に沿う断面図。
【図８】（ａ）は天板の下面側を示す平面図、（ｂ）は図８（ａ）のＹ−Ｙ線に沿う断面図。
【図９】この発明の他の実施の形態を示す組立て式家具の正面図。
【符号の説明】
２…側板
３…天板
４…底板
１１…第１の切欠部
１２…連結ピン（第１の連結手段）
１４…側部挿入溝
１６…連結具（第１の連結手段）
２２…第２の切欠部
２６…ねじ（第２の連結手段）
【図１】
0003643755.tif 000002
【図２】
0003643755.tif 000003
【図３】
0003643755.tif 000004
【図４】
0003643755.tif 000005
【図５】
0003643755.tif 000006
【図６】
0003643755.tif 000007
【図７】
0003643755.tif 000008
【図８】
0003643755.tif 000009
【図９】
0003643755.tif 000010